【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
システム帯域幅の狭帯域領域中の狭帯域送信をサポートするシステムにおけるワイヤレス通信のための方法であって、
狭帯域ワイヤレス通信のためのデバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を送信することと
を備える、方法。
【請求項２】
前記あらかじめ定義されたリソースロケーションが、前記広帯域帯域幅の中心周波数からの固定オフセットに位置するＲＢを備える、請求項１に記載の方法。
【請求項３】
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、請求項１に記載の方法。
【請求項４】
前記アンカーリソースが、狭帯域送信のための第２のリソースを示す情報を備え、前記第２のリソースが、周波数ダイバーシティまたは負荷分散の一方または両方を与えるように選択される、請求項１に記載の方法。
【請求項５】
前記第２のリソースが、前記アンカーリソースとは異なる狭帯域領域中に位置する、請求項４に記載の方法。
【請求項６】
ｉ）前記同期信号の周期性または電力スペクトル密度（ＰＳＤ）のうちの１つまたは複数が、前記アンカーリソースのロケーションに基づいて決定される、
ｉｉ）前記アンカーリソースが、物理ダウンリンク制御チャネルを送信するために使用され、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
ｉｉｉ）前記アンカーリソースが、レガシー基準信号によってパンクチャされるＲＢの複数のシンボルを備える、
ｉｖ）前記アンカーリソースが、レガシー基準信号またはレガシー制御信号のうちの１つまたは複数のためのリソースロケーションを回避するように選択される、または
ｖ）前記方法が、
前記狭帯域領域のロケーションが前記広帯域帯域幅内の帯域内にあることを識別することと、
前記狭帯域送信の送信のための、前記広帯域帯域幅中で分配される狭帯域リソースを選択することと、前記狭帯域リソースが、送信ダイバーシティを与えるために分配される、
をさらに備える、
のうちの１つを備える、請求項１に記載の方法。
【請求項７】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、前記インジケーションが、前記狭帯域領域の前記ロケーションの直接インジケーションのうちの１つまたは複数を備える、請求項６のオプションｉ）に記載の方法。
【請求項８】
システム帯域幅の狭帯域領域中の狭帯域送信をサポートするシステムにおけるワイヤレス通信のための方法であって、
狭帯域ワイヤレス通信のためのデバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を受信することと
を備える、方法。
【請求項９】
ｉ）前記あらかじめ定義されたリソースロケーションが、前記広帯域帯域幅の中心周波数からの固定オフセットに位置するＲＢを備える、
ｉｉ）前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、
ｉｉｉ）前記アンカーリソースが、狭帯域送信のための第２のリソースを示す情報を備え、ここにおいて、前記第２のリソースが、周波数ダイバーシティまたは負荷分散の一方または両方を与えるように選択される、
ｉｖ）前記同期信号の周期性または電力スペクトル密度（ＰＳＤ）のうちの１つまたは複数が、前記アンカーリソースのロケーションに基づいて決定される、
ｖ）前記アンカーリソースが、物理ダウンリンク制御チャネルを受信するために使用され、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
ｖｉ）前記アンカーリソースが、レガシー基準信号によってパンクチャされるＲＢの複数のシンボルを備える、
ｖｉｉ）前記アンカーリソースが、レガシー基準信号またはレガシー制御信号のうちの１つまたは複数のためのリソースロケーションを回避するように選択される、または
ｖｉｉｉ）前記方法は、
前記同期信号のフォーマットに少なくとも部分的に基づいて、前記狭帯域領域のロケーションが、１つまたは複数の広帯域送信の広帯域帯域幅内の帯域内にあることを識別することと、
前記狭帯域送信を受信するための、前記広帯域帯域幅中で分配される狭帯域リソースを識別することと、前記狭帯域リソースが、前記狭帯域送信のための送信ダイバーシティを与えるために分配される、
をさらに備える、
のうちの１つを備える、請求項８に記載の方法。
【請求項１０】
前記第２のリソースが、前記アンカーリソースとは異なる狭帯域領域中に位置する、または
前記方法は、
前記第２のリソースを使用して通信することと、
ＳＩＢ変化に少なくとも部分的に基づいて前記アンカーリソースを周期的に検査することと
をさらに備える、請求項９のオプションｉ）に記載の方法。
【請求項１１】
前記ＰＢＣＨが、前記狭帯域領域の前記ロケーションのインジケーション、前記狭帯域送信のための変更されたシステムフレーム番号、またはＳＩＢ情報のうちの１つまたは複数を備え、前記インジケーションが、前記狭帯域領域の前記ロケーションの直接インジケーションの１つまたは複数を備える、請求項８のオプションｉｖ）に記載の方法。
【請求項１２】
システム帯域幅の狭帯域領域中の狭帯域送信をサポートするシステムにおけるワイヤレス通信のための装置であって、
狭帯域ワイヤレス通信のためのデバイス発見のための同期情報を備える同期信号の少なくとも一部分の送信のための、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を送信するための手段と
を備える、装置。
【請求項１３】
システム帯域幅の狭帯域領域中の狭帯域送信をサポートするシステムにおけるワイヤレス通信のための装置であって、
狭帯域ワイヤレス通信のためのデバイス発見のための同期情報を備える同期信号の少なくとも一部分を含んでいる、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を受信するための手段と
を備える、装置。
【請求項１４】
システム帯域幅の狭帯域領域中の狭帯域送信をサポートするシステムにおけるワイヤレス通信のためのコードを記憶する非一時的コンピュータ可読媒体であって、前記コードは、
狭帯域ワイヤレス通信のためのデバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を送信することと
を行うためにプロセッサによって実行可能な命令を備える、非一時的コンピュータ可読媒体。
【請求項１５】
システム帯域幅の狭帯域領域中の狭帯域送信をサポートするシステムにおけるワイヤレス通信のためのコードを記憶する非一時的コンピュータ可読媒体であって、前記コードは、
狭帯域ワイヤレス通信のためのデバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備え、前記同期信号が物理ブロードキャストチャネル（ＰＢＣＨ）情報を備え、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
前記アンカーリソースを介して前記同期信号の少なくとも一部分を受信することと
を行うためにプロセッサによって実行可能な命令を備える、非一時的コンピュータ可読媒体。
【手続補正２】
【補正対象書類名】明細書
【補正対象項目名】０１７９
【補正方法】変更
【補正の内容】
【０１７９】
[0190]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
システム帯域幅の狭帯域領域中の狭帯域送信をサポートするシステムにおけるワイヤレス通信のための方法であって、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を備える、方法。
［Ｃ２］
前記あらかじめ定義されたリソースロケーションが、前記広帯域帯域幅の中心周波数からの固定オフセットに位置するＲＢを備える、［Ｃ１］に記載の方法。
［Ｃ３］
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、［Ｃ１］に記載の方法。
［Ｃ４］
前記アンカーリソースが、狭帯域送信のための第２のリソースを示す情報を備える前記アンカーリソースを備え、ここにおいて、前記第２のリソースが、周波数ダイバーシティまたは負荷分散の一方または両方を与えるように選択される、［Ｃ１］に記載の方法。
［Ｃ５］
前記第２のリソースが、前記アンカーリソースとは異なる狭帯域領域中に位置する、［Ｃ４］に記載の方法。
［Ｃ６］
前記同期信号の周期性または電力スペクトル密度（ＰＳＤ）のうちの１つまたは複数が、前記アンカーリソースのロケーションに基づいて決定される、［Ｃ１］に記載の方法。
［Ｃ７］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、［Ｃ１］に記載の方法。
［Ｃ８］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、［Ｃ７］に記載の方法。
［Ｃ９］
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、［Ｃ１］に記載の方法。
［Ｃ１０］
前記アンカーリソースが、レガシー基準信号によってパンクチャされるＲＢの複数のシンボルを備える、［Ｃ１］に記載の方法。
［Ｃ１１］
前記アンカーリソースが、レガシー基準信号またはレガシー制御信号のうちの１つまたは複数のためのリソースロケーションを回避するように選択される、［Ｃ１］に記載の方法。
［Ｃ１２］
前記狭帯域領域のロケーションが前記広帯域帯域幅内の帯域内にあることを識別することと、
前記狭帯域送信の送信のための、前記広帯域帯域幅中で分配される狭帯域リソースを選択することと、前記狭帯域リソースが、送信ダイバーシティを与えるために分配される、をさらに備える、［Ｃ１］に記載の方法。
［Ｃ１３］
システム帯域幅の狭帯域領域中の狭帯域送信をサポートするシステムにおけるワイヤレス通信のための方法であって、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を備える、方法。
［Ｃ１４］
前記あらかじめ定義されたリソースロケーションが、前記広帯域帯域幅の中心周波数からの固定オフセットに位置するＲＢを備える、［Ｃ１３］に記載の方法。
［Ｃ１５］
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、［Ｃ１３］に記載の方法。
［Ｃ１６］
前記アンカーリソースが、狭帯域送信のための第２のリソースを示す情報を備え、ここにおいて、前記第２のリソースが、周波数ダイバーシティまたは負荷分散の一方または両方を与えるように選択される、［Ｃ１３］に記載の方法。
［Ｃ１７］
前記第２のリソースが、前記アンカーリソースとは異なる狭帯域領域中に位置する、［Ｃ１６］に記載の方法。
［Ｃ１８］
前記第２のリソースを使用して通信することと、
ＳＩＢ変化に少なくとも部分的に基づいて前記アンカーリソースを周期的に検査することと
をさらに備える、［Ｃ１６］に記載の方法。
［Ｃ１９］
前記同期信号の周期性または電力スペクトル密度（ＰＳＤ）のうちの１つまたは複数が、前記アンカーリソースのロケーションに基づいて決定される、［Ｃ１３］に記載の方法。
［Ｃ２０］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、［Ｃ１３］に記載の方法。
［Ｃ２１］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、［Ｃ２０］に記載の方法。
［Ｃ２２］
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、［Ｃ１３］に記載の方法。
［Ｃ２３］
前記アンカーリソースが、レガシー基準信号によってパンクチャされるＲＢの複数のシンボルを備える、［Ｃ１３］に記載の方法。
［Ｃ２４］
前記アンカーリソースが、レガシー基準信号またはレガシー制御信号のうちの１つまたは複数のためのリソースロケーションを回避するように選択される、［Ｃ１３］に記載の方法。
［Ｃ２５］
前記同期信号のフォーマットに少なくとも部分的に基づいて、前記狭帯域領域のロケーションが、１つまたは複数の広帯域送信の広帯域帯域幅内の帯域内にあることを識別することと、
前記狭帯域送信を受信するための、前記広帯域帯域幅中で分配される狭帯域リソースを識別することと、前記狭帯域リソースが、前記狭帯域送信のための送信ダイバーシティを与えるために分配される、
をさらに備える、［Ｃ１３］に記載の方法。
［Ｃ２６］
システム帯域幅の狭帯域領域中の狭帯域送信をサポートするシステムにおけるワイヤレス通信のための装置であって、
デバイス発見のための同期情報を備える同期信号の少なくとも一部分の送信のための、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信するための手段と
を備える、装置。
［Ｃ２７］
前記あらかじめ定義されたリソースロケーションが、前記広帯域帯域幅の中心周波数からの固定オフセットに位置するＲＢを備える、
［Ｃ２６］に記載の装置。
［Ｃ２８］
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、
［Ｃ２６］に記載の装置。
［Ｃ２９］
前記アンカーリソースが、狭帯域送信のための第２のリソースを示す情報を備え、ここにおいて、前記第２のリソースが、周波数ダイバーシティまたは負荷分散の一方または両方を与えるように選択される、
［Ｃ２６］に記載の装置。
［Ｃ３０］
前記第２のリソースが、前記アンカーリソースとは異なる狭帯域領域中に位置する、［Ｃ２９］に記載の装置。
［Ｃ３１］
前記同期信号の周期性または電力スペクトル密度（ＰＳＤ）のうちの１つまたは複数が、前記アンカーリソースのロケーションに基づいて決定される、
［Ｃ２６］に記載の装置。
［Ｃ３２］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
［Ｃ２６］に記載の装置。
［Ｃ３３］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
［Ｃ３２］に記載の装置。
［Ｃ３４］
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
［Ｃ２６］に記載の装置。
［Ｃ３５］
前記アンカーリソースが、レガシー基準信号によってパンクチャされるＲＢの複数のシンボルを備える、
［Ｃ２６］に記載の装置。
［Ｃ３６］
前記アンカーリソースが、レガシー基準信号またはレガシー制御信号のうちの１つまたは複数のためのリソースロケーションを回避するように選択される、
［Ｃ２６］に記載の装置。
［Ｃ３７］
前記狭帯域領域のロケーションが前記広帯域帯域幅内の帯域内にあることを識別するための手段と、
前記狭帯域送信の送信のための、前記広帯域帯域幅中で分配される狭帯域リソースを選択するための手段と、前記狭帯域リソースが、送信ダイバーシティを与えるために分配される、
をさらに備える、［Ｃ２６］に記載の装置。
［Ｃ３８］
システム帯域幅の狭帯域領域中の狭帯域送信をサポートするシステムにおけるワイヤレス通信のための装置であって、
デバイス発見のための同期情報を備える同期信号の少なくとも一部分を含んでいる、１つまたは複数の広帯域送信の広帯域帯域幅内のアンカーリソースを識別するための手段と、ここにおいて、前記アンカーリソースが、前記広帯域帯域幅内のあらかじめ定義されたリソースロケーションに位置する１つまたは複数のリソースブロック（ＲＢ）を備える、  前記アンカーリソースを介して前記同期信号の少なくとも一部分を受信するための手段と
を備える、装置。
［Ｃ３９］
前記あらかじめ定義されたリソースロケーションが、前記広帯域帯域幅の中心周波数からの固定オフセットに位置するＲＢを備える、
［Ｃ３８］に記載の装置。
［Ｃ４０］
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、
［Ｃ３８］に記載の装置。
［Ｃ４１］
前記アンカーリソースが、狭帯域送信のための第２のリソースを示す情報を備え、ここにおいて、前記第２のリソースが、周波数ダイバーシティまたは負荷分散の一方または両方を与えるように選択される、
［Ｃ３８］に記載の装置。
［Ｃ４２］
前記第２のリソースが、前記アンカーリソースとは異なる狭帯域領域中に位置する、［Ｃ４１］に記載の装置。
［Ｃ４３］
前記第２のリソースを使用して通信するための手段と、
ＳＩＢ変化に少なくとも部分的に基づいて前記アンカーリソースを周期的に検査するための手段と
をさらに備える、［Ｃ４１］に記載の装置。
［Ｃ４４］
前記同期信号の周期性または電力スペクトル密度（ＰＳＤ）のうちの１つまたは複数が、前記アンカーリソースのロケーションに基づいて決定される、
［Ｃ３８］に記載の装置。
［Ｃ４５］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
［Ｃ３８］に記載の装置。
［Ｃ４６］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
［Ｃ４５］に記載の装置。
［Ｃ４７］
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
［Ｃ３８］に記載の装置。
［Ｃ４８］
前記アンカーリソースが、レガシー基準信号によってパンクチャされるＲＢの複数のシンボルを備える、
［Ｃ３８］に記載の装置。
［Ｃ４９］
前記アンカーリソースが、レガシー基準信号またはレガシー制御信号のうちの１つまたは複数のためのリソースロケーションを回避するように選択される、
［Ｃ３８］に記載の装置。
［Ｃ５０］
前記同期信号のフォーマットに少なくとも部分的に基づいて、前記狭帯域領域のロケーションが、１つまたは複数の広帯域送信の広帯域帯域幅内の帯域内にあることを識別するための手段と、
前記狭帯域送信を受信するための、前記広帯域帯域幅中で分配される狭帯域リソースを識別するための手段と、前記狭帯域リソースが、前記狭帯域送信のための送信ダイバーシティを与えるために分配される、
をさらに備える、［Ｃ３８］に記載の装置。
［Ｃ５１］
システム帯域幅の狭帯域領域中の狭帯域送信をサポートするシステムにおけるワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を行わせるように動作可能である、
装置。
［Ｃ５２］
前記あらかじめ定義されたリソースロケーションが、前記広帯域帯域幅の中心周波数からの固定オフセットに位置するＲＢを備える、
［Ｃ５１］に記載の装置。
［Ｃ５３］
前記アンカーリソースが、デバイス発見において使用するための、前記同期信号、物理ブロードキャストチャネル（ＰＢＣＨ）、またはシステム情報ブロック（ＳＩＢ）のうちの１つまたは複数を送信するために使用される、
［Ｃ５１］に記載の装置。
［Ｃ５４］
前記アンカーリソースが、狭帯域送信のための第２のリソースを示す情報を備え、ここにおいて、前記第２のリソースが、周波数ダイバーシティまたは負荷分散の一方または両方を与えるように選択される、
［Ｃ５１］に記載の装置。
［Ｃ５５］
前記第２のリソースが、前記アンカーリソースとは異なる狭帯域領域中に位置する、［Ｃ５４］に記載の装置。
［Ｃ５６］
前記同期信号の周期性または電力スペクトル密度（ＰＳＤ）のうちの１つまたは複数が、前記アンカーリソースのロケーションに基づいて決定される、
［Ｃ５１］に記載の装置。
［Ｃ５７］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
［Ｃ５１］に記載の装置。
［Ｃ５８］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
［Ｃ５７］に記載の装置。
［Ｃ５９］
前記アンカーリソースが、物理ダウンリンク制御チャネルを送信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
［Ｃ５１］に記載の装置。
［Ｃ６０］
前記アンカーリソースが、レガシー基準信号によってパンクチャされるＲＢの複数のシンボルを備える、
［Ｃ５１］に記載の装置。
［Ｃ６１］
前記アンカーリソースが、レガシー基準信号またはレガシー制御信号のうちの１つまたは複数のためのリソースロケーションを回避するように選択される、
［Ｃ５１］に記載の装置。
［Ｃ６２］
前記命令は、
前記狭帯域領域のロケーションが前記広帯域帯域幅内の帯域内にあることを識別することと、
前記狭帯域送信の送信のための、前記広帯域帯域幅中で分配される狭帯域リソースを選択することと、前記狭帯域リソースが、送信ダイバーシティを与えるために分配される、を行うために前記プロセッサによってさらに実行可能である、［Ｃ５１］に記載の装置。
［Ｃ６３］
システム帯域幅の狭帯域領域中の狭帯域送信をサポートするシステムにおけるワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を行わせるように動作可能である、
装置。
［Ｃ６４］
前記あらかじめ定義されたリソースロケーションが、前記広帯域帯域幅の中心周波数からの固定オフセットに位置するＲＢを備える、
［Ｃ６３］に記載の装置。
［Ｃ６５］
前記アンカーリソースが、前記狭帯域送信の初期収集において使用するための、前記同期信号、物理ブロードキャストチャネル（ＰＢＣＨ）、またはシステム情報ブロック（ＳＩＢ）のうちの１つまたは複数を受信するために使用される、
［Ｃ６３］に記載の装置。
［Ｃ６６］
前記アンカーリソースが、狭帯域送信のための第２のリソースを示す情報を備え、ここにおいて、前記第２のリソースが、周波数ダイバーシティまたは負荷分散の一方または両方を与えるように選択される、
［Ｃ６３］に記載の装置。
［Ｃ６７］
前記第２のリソースが、前記アンカーリソースとは異なる狭帯域領域中に位置する、［Ｃ６６］に記載の装置。
［Ｃ６８］
前記命令が、
前記第２のリソースを使用して通信することと、
ＳＩＢ変化に少なくとも部分的に基づいて前記アンカーリソースを周期的に検査することと
を行うために前記プロセッサによってさらに実行可能である、［Ｃ６６］に記載の装置。
［Ｃ６９］
前記同期信号の周期性または電力スペクトル密度（ＰＳＤ）のうちの１つまたは複数が、前記アンカーリソースのロケーションに基づいて決定される、
［Ｃ６３］に記載の装置。
［Ｃ７０］
前記同期信号が物理ブロードキャストチャネル（ＰＢＣＨ）情報を備え、ここにおいて、前記ＰＢＣＨ情報のコンテンツが、前記広帯域帯域幅内の、前記広帯域帯域幅に隣接するガードバンド帯域幅内の、または前記広帯域帯域幅から独立しているスタンドアロン帯域幅内の前記狭帯域領域のロケーションを示す、
［Ｃ６３］に記載の装置。
［Ｃ７１］
前記ＰＢＣＨが、前記狭帯域領域の前記ロケーションのインジケーション、前記狭帯域送信のための変更されたシステムフレーム番号、またはＳＩＢ情報のうちの１つまたは複数を備え、ここにおいて、前記インジケーションが、前記狭帯域領域の前記ロケーションの直接インジケーションの１つまたは複数を備える、
［Ｃ７０］に記載の装置。
［Ｃ７２］
前記アンカーリソースが、物理ダウンリンク制御チャネルを受信するために使用され、ここにおいて、前記物理ダウンリンク制御チャネルが、前記狭帯域領域のロケーションのインジケーション、前記狭帯域送信のための変更されたシステムフレーム番号、またはＳＩＢ情報のうちの１つまたは複数を備える、
［Ｃ６３］に記載の装置。
［Ｃ７３］
前記アンカーリソースが、レガシー基準信号によってパンクチャされるＲＢの複数のシンボルを備える、
［Ｃ６３］に記載の装置。
［Ｃ７４］
前記アンカーリソースが、レガシー基準信号またはレガシー制御信号のうちの１つまたは複数のためのリソースロケーションを回避するように選択される、
［Ｃ６３］に記載の装置。
［Ｃ７５］
前記命令は、
前記同期信号のフォーマットに少なくとも部分的に基づいて、前記狭帯域領域のロケーションが、１つまたは複数の広帯域送信の広帯域帯域幅内の帯域内にあることを識別することと、
前記狭帯域送信を受信するための、前記広帯域帯域幅中で分配される狭帯域リソースを識別することと、前記狭帯域リソースが、前記狭帯域送信のための送信ダイバーシティを与えるために分配される、
を行うために前記プロセッサによってさらに実行可能である、［Ｃ６３］に記載の装置。
［Ｃ７６］
システム帯域幅の狭帯域領域中の狭帯域送信をサポートするシステムにおけるワイヤレス通信のためのコードを記憶する非一時的コンピュータ可読媒体であって、前記コードは、
デバイス発見のための同期情報を備える同期信号の少なくとも一部分の送信のための、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を送信することと
を行うためにプロセッサによって実行可能な命令を備える、非一時的コンピュータ可読媒体。
［Ｃ７７］
システム帯域幅の狭帯域領域中の狭帯域送信をサポートするシステムにおけるワイヤレス通信のためのコードを記憶する非一時的コンピュータ可読媒体であって、前記コードは、
デバイス発見のための同期情報を備える同期信号の少なくとも一部分を含んでいる、１つまたは複数の広帯域送信の広帯域帯域幅内のアンカーリソースを識別することと、ここにおいて、前記アンカーリソースが、前記広帯域帯域幅内のあらかじめ定義されたリソースロケーションに位置する１つまたは複数のリソースブロック（ＲＢ）を備える、
前記アンカーリソースを介して前記同期信号の少なくとも一部分を受信することと
を行うためにプロセッサによって実行可能な命令を備える、非一時的コンピュータ可読媒体。